(57)【特許請求の範囲】
【請求項１】
窓ガラス面にボルト付き平板金具を複数（ガラス面が小さい場合は１つでも良い）接着し、中空パネルにボルト穴を開け、中空パネルに前記ボルト付き平板金具のボルト部を貫通し、飛び出したボルトの頭を平板ナットを通し、窓ガラス面に中空パネルを固定するにあたり、前記ボルト部にバネを被せ、ガラス面と中空パネルの間に弾性力を維持させる事により、窓ガラスと中空パネルの間の空間距離、窓ガラスに対する中空パネルの平面角度を平板ナットの絞め具合で変えると同時に外的な衝撃を吸収する事を特徴とする窓周辺環境改善器機。
【請求項２】
窓ガラスと中空パネルの間に季節に応じて断熱材や光反射材等を挿入する事を特徴とする請求項１記載の窓周辺環境改善器機。
【請求項３】
中空パネルの空洞空間であるリムに水を入れ、水の相変位による潜熱を窓周辺の急激な環境変化緩和に用いる事を特徴とする請求項１記載の窓周辺環境改善器機。
【請求項４】
中空パネルの取り付けを窓の外側または内側だけでなく、窓ガラスの両面に実施する事を特徴とする請求項１から請求項３のいずれか１項に記載の窓周辺環境改善器機。
【請求項５】
中空パネル以外の板状体を取り付ける事を特徴とする請求項１から請求項３のいずれか１項に記載の窓周辺環境改善器機。
【請求項６】
中空パネルをガラス面の表裏両面に取り付ける場合においてリムの並びを縦、横(表が横、内側が縦、またはその逆)に取り付けることを特徴とする請求項１から請求項３のいずれか１項に記載の窓周辺環境改善器機。
【請求項７】
中空パネルが窓枠の全部又は一部を覆うことを特徴とする請求項１から請求項３のいずれか１項に記載の窓周辺環境改善器機。
【発明の詳細な説明】
【技術分野】
【０００１】本発明は、窓からの熱、光の出し入れを調整可能な中空パネル（または板状体）、及びこれをガラス面上に固定する固定用金具、窓ガラス面と中空パネルの空間距離、平面角度を調整する弾性体、更に一定量の水（または液体）を保持できるリム構造を利用し、相変位の応用による熱の出し入れ調整を可能となる、脱着可能な窓断熱、調光、温度調整可能となる窓周辺環境改善器機に関するものである。
【技術背景】
【０００２】一般に、窓周辺の省エネルギー、環境対策は２枚のガラスの間に空間を作り、この空間を真空にしたり、アルゴンガスを注入したりといった多重構造断熱方式や内側に窓枠を設け、別の窓を増やす２重窓方式、また、窓ガラス面にフィルム、透明樹脂塗料、梱包材用シート等を張る方法が一般的であった。その効果においては断熱性能向上であった。特許公開２００６−２３３７３６は中空パネルを用いる点では同じだが施工において、フレームを作り、これを窓枠に張り付けるものであり、特許公開２００３−２１３８２３は中空パネル取り付け用枠体に関するものであり、その何れも本発明のように誰もが容易に取り外しできる構造ではなく、パネルその物の構造特性や取り付け方に於ける角度、空間に対する自由度のあるものではなかった。また、中空パネルを張る商品もあるがその固定法と取り付け位置が内側だけだある点において本発明とは異なっている。
【０００３】また、従来の窓周辺部での省エネルギー対策は太陽高度に対する調整、保温材、反射材の出し入れ、気化熱利用冷却等の対策し得るものではなかった。
【０００４】マンションなどの共同住宅では窓の外側は共用部分とされ、外側への取り付けは制限されていた。
【発明の開示】
【発明が解決しようとする課題】
【０００５】窓を通しての熱や光の出し入れを調整し、夏の冷房、冬の暖房に使用されるエネルギー消費量の削減と窓周辺環境改善を行うことが出来る温度、光調整機能つき中空パネル及びその固定用器具を提供する。
【課題を解決するための手段】
【０００６】上記、目的を達成するために、本発明は、中空パネルを吸着性が良く、反面、剥離性も良い両面テープを施した固定用器具および弾性体を用い、窓ガラス面に固定することで中空パネルとの間の空間距離、平面角度を自由に変えられる。【０００７】また、窓ガラス面と中空パネルの間の空間にシート状断熱材、反射材等地域の気象及び周辺環境に応じ容易に出し入れすることが出来る。【０００８】また、中空空間であるリムに水を保持出来、寒さ、暑さを液体の相変異により吸収し急激な気温環境変化を緩和する。
【発明の効果】
【０００９】本発明によれば、中空パネルと窓ガラス面直接接着可能なボルト付き平板金具、ガラス面と中空パネルの間に取り付けられる弾性体、中空パネルの表面に飛び出したボルトの頭を締める平板ナットにより季節、設置場所に合わせ、多様な窓周辺形態を創出し、結果、省エネルギーに貢献できる。【００１０】また、窓の強度を高め、防犯効果、また、突風、台風等の自然現象による飛散物による窓の破損防止、消音や目隠し効果等々の効果をもたらす。
【発明を実施するための最良の形態】
【実施例】
【００１１】図１には、本発明に係る窓用中空パネル６、ガラス面１に固定するためガラス側の接地面に両面テープ（取り外しの必要がない場合はシリコーン・コーキングでも良い）を施したボルト付き平板金具２、ボルトつき平板金具のボルト部に通すバネ３、ボルトを通すために中空パネル上に設けられたボルト穴４、ボルト穴から飛び出たボルトと同径、同ピッチの平板ナット５より構成される全体図を示す。【００１２】図２は前期構成要素を組み合わせた状況を示す、側面図であるがバネ３は弾性力を保ち、左右両方向への変位が可能であり、平板ナットを締めたり、緩めたりすることにより窓ガラスと中空パネルの間の空間、平面角を自在に変えられ、同時に外的な衝撃を吸収できる。【００１３】引き違い窓等で窓面と交差する別の窓枠（網戸の場合も有る）との間に十分なスペースを確保出来ない場合、設置段階で弾性体を入れない事も出来る。【００１４】冬季は平板ナットを締め、中空パネルを出来るだけ密着させ、夏季は平板ナットを緩め、空気の通り道を作ることが可能である。【００１５】このような構造を活かし、その場の環境特性に対応する断熱材、反射フィルム、デザイン媒体等々、多様な中間体を容易にはさむ事が出来る。【００１６】図３は平板ナットの下方側を締め、もう一方を緩めることにより、窓ガラス面と中空パネルの間に角度をつけ、夏の直射の反射を促進する事が出来ることを示す。【００１７】中空パネルをガラス面の表裏両面に取り付ける場合においてリムの並びを縦、横（表が横、内側が縦、またはその逆）に取り付け、上方と左右からの日射の進入を抑え、窓面に対し垂直な日射のみを選択的に室内に取り込むことが出来る。【００１８】図４ではリム空間７を持つ、中空パネルの構造を簡単に示すがこのリム空間を横方向になるように中空パネルを設置することにより、上からの入射光をリムの横方向の格子がブラインドのように制限する。一方、開口になっているリムの左右の切断面からは膨張したリム内空気（分子）が排出され、中空パネル全体の熱伝導率を下げる。【００１９】図５は結露場所となる窓枠を中空パネルが覆うことが出来る状態を示す。引き違い窓でも室内側窓の内側窓枠、網戸のない場合であれば外側窓の外側窓枠などは窓枠全体を覆うことは可能である。この場合、平板金具の取り付け位地はガラス面上でなく窓枠上であっても良い。【００２０】図６は中空パネルのリム空間７にホース等で水を入れた状況を示す。水は表面張力でリム空間内側壁に留まり、日射を吸収し、少しずつ気化する。このようにして中空パネルの温度を下げる。
この作用は夏場の打ち水と同様の効果を生み出す。【００２１】前記、中空パネル内の保持水は凍結時には熱を放出し、急激な窓周辺温度変化の緩和効果を持つ。【００２２】中空パネルを中心の１点で固定し、回転させることにより、日射とリム空間を構成するリム支柱板８の角度を変え、リム支柱板を対地水平なブラインドの様に活用することが出来る。
【産業上の利用可能性】
【００２３】本発明は、あらゆるタイプの窓を経由したエネルギーの出し入れを調節し、省エネルギー対策とすることが出来る。【００２４】また、防音、防犯、竜巻、突風、台風時の窓自体の物理的強度を高める。【００２５】中空パネルと窓ガラスとの間に出来た空間に企業の宣伝媒体などを挟み込むことも容易に可能となり、宣伝媒体補助具となる。【００２６】取り外しが容易に出来るので賃貸の住宅、マンション、事務所などでも利用可能で不動産返却時に取り付けた形跡なしに容易に移動できる。
【図面の簡単な説明】
【００２７】
【図１】本発明の構成要素を示す、側面図である。
【図２】本発明の実施状態を示す、側面図である。
【図３】本発明で中空パネルに平面角を持たせた状態を示す、側面図である。
【図４】本発明で用いる中空パネルの一例を示す、概念図である。
【図５】本発明で用いる中空パネルの取り付け範囲を窓枠まで広げた状況を示す、概念図である。
【図６】本発明で用いる中空パネルを構成するリム空間での水の保持状態を示す、概念図である。
【符号の説明】
【００２８】１ガラス面
２ボルト付き平板金具
３バネ
４ボルト穴
５平板ナット
６中空パネル
７リム空間
８窓枠
９中空パネルに保持される水滴
【図１】
0005594703.tif 000002
【図２】
0005594703.tif 000003
【図３】
0005594703.tif 000004
【図４】
0005594703.tif 000005
【図５】
0005594703.tif 000006
【図６】
0005594703.tif 000007